(57)【要約】【課題】有色色材によって実現される色味を損なわずに、特色色材による特色効果を実現する。【解決手段】画像処理装置１０は、取得部１１と、有色中間調生成部１５Ａと、特色中間調生成部１５Ｂと、を備える。取得部１１は、有色の有色画像データと、特色の特色画像データと、を含む画像データを取得する。有色中間調生成部１５Ａは、網点（有色網点）の周期的な配列線を規定した有色スクリーンを用いて、有色画像データを網点群によって表した有色中間調データを生成する。特色中間調生成部１５Ｂは、有色スクリーンに規定される周期的な配列線によって表される第１の位相とは異なる第２の位相の特色スクリーンを用いて、特色画像データを網点群によって表した特色中間調データを生成する。【選択図】図３
2017175601.tif 000002
【特許請求の範囲】
【請求項１】
有色の有色画像データと特色の特色画像データとを含む画像データを取得する取得部と、
網点の周期的な配列線を規定した有色スクリーンを用いて、前記有色画像データを網点群によって表した有色中間調データを生成する有色中間調生成部と、
前記有色スクリーンに規定される周期的な配列線によって表される第１の位相とは異なる第２の位相の特色スクリーンを用いて、前記特色画像データを網点群によって表した特色中間調データを生成する特色中間調生成部と、
を備える画像処理装置。
【請求項２】
前記有色画像データは、色の異なる複数種類の色画像データを含み、
前記有色スクリーンは、複数種類の色の各々に対応する、互いに異なるスクリーン角度およびスクリーン線数の色スクリーンを含み、
前記特色中間調生成部は、
複数種類の色の各々に対応する前記色スクリーンの内の１つに規定される前記第１の位相を前記第２の位相にずらした前記特色スクリーンを用いて、前記特色中間調データを生成する、
請求項１に記載の画像処理装置。
【請求項３】
前記特色中間調生成部は、
複数種類の色の内、黒色または他の色との干渉の発生が少ない色に対応する前記色スクリーンに規定される前記第１の位相を前記第２の位相にずらした前記特色スクリーンを用いて、前記特色中間調データを生成する、
請求項２に記載の画像処理装置。
【請求項４】
中間調処理の種類を示す種類情報と、有色を示す有色情報および特色を示す特色情報の各々に対応するスクリーン線数およびスクリーン角度と、を対応づけた第１の情報を記憶した記憶部と、
前記種類情報の指定を受付ける第１の受付部と、
受付けた前記種類情報および前記特色情報に対応するスクリーン線数およびスクリーン角度を示すスクリーンの位相を、受付けた前記種類情報および前記有色情報に対応するスクリーン線数およびスクリーン角度を示す前記有色スクリーンの第１の位相に対してずらすことによって前記第２の位相とした、前記特色スクリーンを生成する、スクリーン生成部と、
を備える、請求項１〜請求項３の何れか１項に記載の画像処理装置。
【請求項５】
有色に含まれる複数種類の色の各々を示す色情報にそれぞれ対応するスクリーン線数およびスクリーン角度を含む、設定情報を受付ける第２の受付部と、
複数種類の色の各々ごとに、受付けた前記設定情報に含まれるスクリーン線数およびスクリーン角度の前記色スクリーンを生成する、有色スクリーン生成部と、
複数種類の色の各々に対応する前記色スクリーンの内の１つに規定される前記第１の位相を前記第２の位相にずらした前記特色スクリーンを生成する、特色スクリーン生成部と、
を備える、請求項２または請求項３に記載の画像処理装置。
【請求項６】
有色に含まれる複数種類の色の各々を示す色情報にそれぞれ対応するスクリーン線数およびスクリーン角度と、特色を示す特色情報に対応するスクリーン線数およびスクリーン角度と、を含む、設定情報を受付ける第３の受付部と、
複数種類の色の各々ごとに、受付けた前記設定情報に含まれる前記色情報のそれぞれに対応するスクリーン線数およびスクリーン角度の前記色スクリーンを生成する、有色スクリーン生成部と、
受付けた前記設定情報に含まれる前記特色情報に対応するスクリーン線数およびスクリーン角度で、且つ、複数種類の色の各々に対応する前記色スクリーンの内の１つに規定される前記第１の位相を前記第２の位相にずらした前記特色スクリーンを生成する、特色スクリーン生成部と、
前記第１の位相と前記第２の位相との位相ずれを示す位相ずれ情報を受付ける第４の受付部と、を備え、
前記特色スクリーン生成部は、前記第１の位相を、前記位相ずれ情報によって示される位相ずれ量ずらした前記第２の位相の前記特色スクリーンを生成する、
請求項２または請求項３に記載の画像処理装置。
【請求項７】
有色の有色画像データと特色の特色画像データとを含む画像データを取得するステップと、
網点の周期的な配列線を規定した有色スクリーンを用いて、前記有色画像データを網点群によって表した有色中間調データを生成するステップと、
前記有色スクリーンに規定される周期的な配列線によって表される第１の位相とは異なる第２の位相の特色スクリーンを用いて、前記特色画像データを網点群によって表した特色中間調データを生成するステップと、
を含む、画像処理方法。
【請求項８】
有色の有色画像データと特色の特色画像データとを含む画像データを取得するステップと、
網点の周期的な配列線を規定した有色スクリーンを用いて、前記有色画像データを網点群によって表した有色中間調データを生成するステップと、
前記有色スクリーンに規定される周期的な配列線によって表される第１の位相とは異なる第２の位相の特色スクリーンを用いて、前記特色画像データを網点群によって表した特色中間調データを生成するステップと、
をコンピュータに実行させるための画像処理プログラム。
【発明の詳細な説明】
【技術分野】
【０００１】
本発明は、画像処理装置、画像処理方法、および画像処理プログラムに関する。
【背景技術】
【０００２】
ＣＭＹＫ等の有色色材の他に、特色色材を用いて画像を形成する装置が知られている。また、特色色材を用いて、光沢等の特色効果を与える技術が知られている（例えば、特許文献１参照）。
【０００３】
また、有色色材を用いて画像を形成するときに、スクリーン角度の互いに異なるスクリーンを用いて階調処理（スクリーニング）を行う技術が開示されている。
【発明の概要】
【発明が解決しようとする課題】
【０００４】
しかしながら、従来では、有色色材に特色色材を重ねることで、有色色材によって実現される色味が損なわれる場合があった。
【課題を解決するための手段】
【０００５】
上述した課題を解決し、目的を達成するために、画像処理装置は、有色の有色画像データと特色の特色画像データとを含む画像データを取得する取得部と、網点の周期的な配列線を規定した有色スクリーンを用いて、前記有色画像データを網点群によって表した有色中間調データを生成する有色中間調生成部と、前記有色スクリーンに規定される周期的な配列線によって表される第１の位相とは異なる第２の位相の特色スクリーンを用いて、前記特色画像データを網点群によって表した特色中間調データを生成する特色中間調生成部と、を備える。
【発明の効果】
【０００６】
本発明によれば、有色色材によって実現される色味を損なわずに、特色色材による特色効果を実現することができる、という効果を奏する。
【図面の簡単な説明】
【０００７】
【図１】図１は、本実施の形態の画像処理装置のハードウェア構成の一例を示す図である。
【図２】図２は、画像データを概念的に示す模式図である。
【図３】図３は、画像処理装置の機能的構成を示すブロック図である。
【図４】図４は、第１の情報のデータ構成の一例を示す図である。
【図５】図５は、表示画面の一例を示す模式図である。
【図６】図６は、スクリーンの一例を示す模式図である。
【図７】図７は、特色スクリーンの生成の一例を示す説明図である。
【図８】図８は、特色ドットと有色ドットとの位置関係の一例を示す模式図である。
【図９】図９は、特色ドットと有色ドットとの位置関係の一例を示す模式図である。
【図１０】図１０は、従来の有色ドットと特色ドットとの位置関係の一例を示す模式図である。
【図１１】図１１は、画像処理の手順の一例を示すフローチャートである。
【図１２】図１２は、画像処理装置の機能的構成を示すブロック図である。
【図１３】図１３は、第１の情報のデータ構成の一例を示す図である。
【図１４】図１４は、表示画面の一例を示す模式図である。
【図１５】図１５は、画像処理の手順の一例を示すフローチャートである。
【図１６】図１６は、表示画面の一例を示す模式図である。
【図１７】図１７は、表示画面の一例を示す模式図である。
【図１８】図１８は、画像処理装置の機能的構成を示すブロック図である。
【図１９】図１９は、第１の情報のデータ構成の一例を示す図である。
【図２０】図２０は、画像処理装置で実行する画像処理の手順の一例を示すフローチャートである。
【発明を実施するための形態】
【０００８】
以下に添付図面を参照して、画像処理装置、画像処理方法、および画像処理プログラムの実施の形態を詳細に説明する。
【０００９】
（第１の実施の形態）
図１は、本実施の形態の画像処理装置１０のハードウェア構成の一例である。
【００１０】
画像処理装置１０は、本実施の形態の画像処理を行う装置である。画像処理装置１０には、ホストコンピュータ９が接続されている。ホストコンピュータ９は、ＰＣ（Ｐｅｒｓｏｎａｌ  Ｃｏｍｐｕｔｅｒ）などである。画像処理装置１０は、ホストコンピュータ９から画像データを受信する。そして、画像処理装置１０は、この画像データに対して画像処理を行う。
【００１１】
図２は、画像データ３４を概念的に示す模式図である。画像データ３４は、有色画像データ３０と、特色画像データ３２と、を含む。なお、画像データ３４は、エンジン部８における画像形成条件を示すジョブコマンドなどを更に含んでいてもよい。
【００１２】
有色画像データ３０は、ＲＧＢやＣＭＹＫ等の有色の濃度値を規定した画像データである。本実施の形態では、有色画像データ３０は、互いに色の異なる複数種類の色画像データを含む。本実施の形態では、有色画像データ３０は、イエロー、マゼンタ、シアン、ブラックの各々の色画像データ（色画像データ３０Ｙ、３０Ｍ、３０Ｃ、３０Ｋ）を含む場合を一例として説明する。
【００１３】
本実施の形態では、有色画像データ３０は、画素毎に、有色の濃度値を規定した画像データである場合を説明する。このため、本実施の形態では、有色画像データ３０を構成する各色画像データ（色画像データ３０Ｙ、３０Ｍ、３０Ｃ、３０Ｋ）の各々は、対応する色（Ｃ、Ｍ、Ｙ、Ｋ）の各々の色の濃度値を画素毎に規定した画像データである。また、本実施の形態では、有色画像データ３０は、１画素の濃度値を８ｂｉｔで表したデータである場合を、一例として説明する。
【００１４】
なお、画像処理装置１０は、ホストコンピュータ９からＲ、Ｇ、Ｂの色画像データを含む画像データ３４を受信してもよい。この場合、画像処理装置１０は、Ｒ、Ｇ、Ｂの色画像データを、Ｃ、Ｍ、Ｙ、Ｋの各々の色画像データ（３０Ｙ、３０Ｍ、３０Ｃ、３０Ｋ）に変換すればよい。
【００１５】
特色画像データ３２は、画素毎に特色の濃度値を規定した画像データである。特色とは、ＣＭＹＫやＲＧＢなどの基本的な有色以外の色である。特色は、例えば、金属による金属色、白、透明、などである。金属色は、金属光沢を再現した色である。金属色は、例えば、金色や銀色などである。なお、金属色は、金色や銀色などの基本となる金属色に、更に、ＣＭＹＫやＲＧＢなどの色味を加味した色であってもよい。
【００１６】
なお、本実施の形態では、特色画像データ３２は、１画素の濃度値を８ｂｉｔで表したデータである場合を、一例として説明する。
【００１７】
図１に戻り説明を続ける。画像処理装置１０は、ホストコンピュータ９から受信した画像データ３４に対して画像処理を行う。この画像処理により、画像処理装置１０は、エンジン部８で処理可能な形式の印刷データを生成する。エンジン部８は、画像処理装置１０で生成された印刷データを用いて、記録媒体に画像を形成する。
【００１８】
エンジン部８は、公知の電子写真方式の画像形成装置である。本実施の形態では、エンジン部８には、有色色材および特色色材として、ＣＭＹＫの有色トナーと、特色トナーと、が搭載されている。特色トナーとは、上記特色を実現するために用いるトナーである。特色トナーは、例えば、金属トナーや、透明な（無色の）トナーや、白色トナーなどがある。本実施の形態では、特色トナーとして、透明トナーを用いる場合を説明する。
【００１９】
なお、エンジン部８は、有色色材および特色色材として、ＣＭＹＫの有色インクと、特色の特色インクと、を用いて画像を形成する装置であってもよい。
【００２０】
画像処理装置１０は、ＣＰＵ１と、ＲＯＭ２と、ＲＡＭ３と、エンジンインターフェース４と、パネルインターフェース５と、パネル装置６と、ホストインターフェース７と、を備える。ＣＰＵ１、ＲＯＭ２、ＲＡＭ３、エンジンインターフェース４、パネルインターフェース５、およびホストインターフェース７は、バス７Ａを介してデータ授受可能に接続されている。
【００２１】
パネルインターフェース５は、パネル装置６の接続インターフェースである。パネル装置６は、ユーザからの操作指示を受付ける入力機能と、各種画像を表示する表示機能と、を備える。なお、パネル装置６は、入力機能と、表示機能と、を別体として備えた構成であってもよい。
【００２２】
入力機能の一例は、タッチパネルである。入力機能の他の一例は、キーボード、マウス、などである。表示機能の一例は、液晶表示装置や、有機ＥＬを用いた表示装置などである。
【００２３】
ホストインターフェース７は、ホストコンピュータ９の接続インターフェースである。エンジンインターフェース４は、エンジン部８の接続インターフェースである。
【００２４】
次に、画像処理装置１０の機能的構成を説明する。図３は、画像処理装置１０の機能的構成を示すブロック図である。
【００２５】
画像処理装置１０は、画像処理部２０と、記憶部２４と、を備える。画像処理部２０と記憶部２４とは、互いにデータや信号授受可能に接続されている。
【００２６】
記憶部２４は、各種情報を記憶する。記憶部２４は、例えば、ＨＤＤ（ハードディスクドライブ）などで実現する。
【００２７】
本実施の形態では、記憶部２４は、第１の情報２６を記憶する。第１の情報２６は、画像処理部２０で実行する中間調処理時（詳細後述）に用いる情報である。
【００２８】
図４は、第１の情報２６のデータ構成の一例を示す図である。第１の情報２６は、種類情報と、有色情報および特色情報の各々に対応するスクリーン線数およびスクリーン角度と、を対応づけたものである。
【００２９】
本実施の形態では、第１の情報２６を、第１テーブル２６Ａと、第２テーブル２６Ｂと、に分けて用いる場合を説明する。なお、第１テーブル２６Ａと第２テーブル２６Ｂとをまとめて、１つのテーブルやデータベースとして構成してもよい。
【００３０】
第１テーブル２６Ａは、種類情報と、スクリーンＩＤと、中間調処理種類と、を対応づけたデータである。
【００３１】
図４（Ａ）は、第１テーブル２６Ａのデータ構成の一例を示す模式図である。第１テーブル２６Ａは、種類情報と、スクリーンＩＤと、中間調処理種類と、を対応づけたものである。
【００３２】
種類情報は、画像処理部２０が行う中間調処理の種類を示す情報である。具体的には、種類情報は、中間調処理時に用いるスクリーンの種類を示す情報である。
【００３３】
図４（Ａ）には、一例として、５種類（２００Ｄｏｔ、１７５Ｄｏｔ、１５０Ｄｏｔ、３６０Ｄｏｔ、誤差拡散）の種類情報を示した。しかし、種類情報は、図４（Ａ）に示す形態に限定されない。
【００３４】
スクリーンＩＤは、中間調処理（スクリーニング処理またはスクリーニングと称する場合もある）に用いるスクリーンの識別情報である。スクリーンは、中間調の階調表現を擬似的に網点で実現するためのパターンデータである。スクリーンは、色材の付着領域を示す網点と、付与しない領域（網点以外の領域）と、を、周期的に配列したものである。言い換えると、スクリーンは、網点の周期的な配列線によって表される。
【００３５】
中間調処理種類は、種類情報に対応する、中間調処理の種類を示す情報である。図４（Ａ）には、一例として、２００ｌｐｉ−Ｄｏｔ、１７５ｌｐｉ−Ｄｏｔ、１５０ｌｐｉ−Ｄｏｔ、３６０ｌｐｉ−Ｄｏｔ、および誤差拡散の、５種類の中間調処理種類を示した。
【００３６】
なお、図４（Ａ）中、ｌｐｉ−Ｄｏｔは、ｌｐｉの前に示す数値がスクリーン線数を示し、ｄｏｔはドット集中型スクリーンを表す。ｌｐｉ−Ｄｏｔで表されるスクリーンは、出力解像度の増加にしたがって、網点が真円上に成長するパターン変化を示す。一方、ｌｐｉ−ｌｉｎｅで表されるスクリーンは、ラインスクリーンを示す。ｌｐｉ−ｌｉｎｅで表されるスクリーンは、出力解像度の増加に従って、網点が一定の角度方向に線状の形状につながりながら成長するパターン変化を示す。誤差拡散は、ドット分散型の中間調処理（スクリーン処理）を示す。
【００３７】
図４（Ｂ）は、第２テーブル２６Ｂのデータ構成の一例を示す模式図である。第２テーブル２６Ｂは、スクリーンＩＤと、有色情報および特色情報の各々に対応する、スクリーン線数およびスクリーン角度の各々を対応づけたものである。なお、図４における、“線数”は、スクリーン線数を示し、“角度”は、スクリーン角度を示す。
【００３８】
有色情報は、有色を示す情報である。本実施の形態では、有色情報は、Ｃ、Ｍ、Ｙ、Ｋの各々の色情報を含む。特色情報は、特色を示す情報である。
【００３９】
スクリーン線数は、単位長さあたりの網点の密度を示す。具体的には、スクリーン線数は、１インチあたりの、網点の配列数を示す。スクリーン角度は、網点の配列線の角度を示す。配列線の方向は、スクリーン方向と称される場合がある。なお、誤差拡散処理のようなドット分散型のスクリーン処理に関してはスクリーン線数、スクリーン角度は定義されない。
【００４０】
なお、図４（Ｂ）に示すように、第２テーブル２６Ｂには、有色情報に含まれる各色情報（Ｃ、Ｍ、Ｙ、Ｋ）の各々に対応するスクリーン線数およびスクリーン角度として、色情報間で互いに異なる値が予め設定されている。
【００４１】
一方、特色情報に対応するスクリーン線数およびスクリーン角度は、有色情報に含まれる色情報（Ｃ、Ｍ、Ｙ、Ｋ）の内の何れかスクリーン線数およびスクリーン角度と同じであることが好ましい。図４に示す例では、特色情報に対応するスクリーン線数およびスクリーン角度が、有色情報の内のＹ色の色情報に対応するスクリーン線数およびスクリーン角度と同じである場合を一例として示した。
【００４２】
なお、特色情報に対応するスクリーン線数およびスクリーン角度は、有色情報に含まれる色情報（Ｃ、Ｍ、Ｙ、Ｋ）の内の、Ｋ色（黒色）に対応するスクリーン線数およびスクリーン角度と同じであることが、特に好ましい。
【００４３】
図３に戻り、説明を続ける。画像処理部２０は、取得部１１と、色変換処理部１２と、γ変換部１３と、総量規制部１４と、中間調生成部１５と、受付部１６と、入力情報判断部１７と、スクリーン設定部１８と、スクリーン生成部１９と、を備える。取得部１１、色変換処理部１２、γ変換部１３、総量規制部１４、中間調生成部１５、受付部１６、入力情報判断部１７、スクリーン設定部１８、およびスクリーン生成部１９の一部またはすべては、例えば、ＣＰＵ（Ｃｅｎｔｒａｌ  Ｐｒｏｃｅｓｓｉｎｇ  Ｕｎｉｔ）１などの処理装置にプログラムを実行させること、すなわち、ソフトウェアにより実現してもよいし、ＩＣ（Ｉｎｔｅｇｒａｔｅｄ  Ｃｉｒｃｕｉｔ）などのハードウェアにより実現してもよいし、ソフトウェアおよびハードウェアを併用して実現してもよい。
【００４４】
取得部１１は、ホストコンピュータ９から画像データ３４を取得する。例えば、取得部１１は、１画素を８ｂｉｔの濃度値で表した、１２００ｄｐｉの画像データ３４を取得する。
【００４５】
色変換処理部１２は、取得部１１が取得した画像データ３４に含まれる有色画像データ３０について、色変換処理を行う。例えば、ホストコンピュータ９から取得した画像データ３４に含まれる有色画像データ３０が、ＲＧＢの色空間であったとする。この場合、色変換処理部１２は、ＲＧＢの色空間の有色画像データ３０を、ＣＭＹＫの色空間の有色画像データ３０へ変換する。これにより、色変換処理部１２は、ＣＭＹＫ各々の色の有色画像データ３０（色画像データ３０Ｃ、３０Ｍ、３０Ｙ、３０Ｋ）を得る。
【００４６】
なお、色変換処理部１２は、取得部１１で取得された画像データ３４に含まれる特色画像データ３２については、画像処理を行わず、そのままγ変換部１３へ出力する。
【００４７】
γ変換部１３は、ＣＭＹＫの各々の色の有色画像データ３０（色画像データ３０Ｃ、３０Ｍ、３０Ｙ、３０Ｋ）、および特色画像データ３２に対して、ガンマ補正を行う。
【００４８】
総量規制部１４は、ガンマ補正された有色画像データ３０および特色画像データ３２を用いて、総量規制処理を行う。ここで、記録媒体上の１画素に相当する領域において、エンジン部８で載せることの可能な色材量（トナー量）には限界がある。総量規制とは、記録媒体上の１画素に相当する領域あたりの色材量の総量が、該限界の量以下となるように、有色画像データ３０および特色画像データ３２の各画素値（濃度値）を補正する処理である。
【００４９】
そして、総量規制部１４は、総量規制した有色画像データ３０（色画像データ３０Ｃ、３０Ｍ、３０Ｙ、３０Ｋ）および特色画像データ３２を、中間調生成部１５へ出力する。
【００５０】
中間調生成部１５は、中間調処理を実行する。中間調生成部１５は、総量規制部１４から受付けた有色画像データ３０（色画像データ３０Ｃ、３０Ｍ、３０Ｙ、３０Ｋ）と、特色画像データ３２と、について、中間調処理を実行する。
【００５１】
中間調処理は、各画素の画素値を８ｂｉｔで表される０〜２５５の階調値で示した有色画像データ３０（色画像データ３０Ｃ、３０Ｍ、３０Ｙ、３０Ｋ）および特色画像データ３２の各々から、中間調データ（有色中間調データ、特色中間調データ）を生成する処理である。中間調処理は、スクリーン処理と称される場合もある。中間調生成部１５が行う中間調処理は、用いるスクリーンがスクリーン設定部１８によって設定されたスクリーンである以外は、公知のスクリーン処理（階調変換処理）と同様である。中間調データは、網点群によって表されるデータである。
【００５２】
具体的には、中間調処理は、有色画像データ３０および特色画像データ３２を、小値化する処理である。有色画像データ３０および特色画像データ３２の各々は、各画素に対応する濃度値（画素値）が、８ｂｉｔで表現することで、０〜２５５の濃度値（階調値と称される場合もある）で表されている。
【００５３】
中間調生成部１５は、これらの有色画像データ３０および特色画像データ３２を小値化することで、有色中間調データおよび特色中間調データを生成する。本実施の形態では、中間調生成部１５は、有色画像データ３０および特色画像データ３２の各画素の画素値（濃度値）を、二値化することで、中間調処理を行い、有色中間調データおよび特色中間調データを生成する。
【００５４】
一方、受付部１６は、種類情報の指定を受付ける。例えば、受付部１６は、種類情報の指定を受付けるための表示画面を、パネル装置６へ表示する。
【００５５】
図５は、表示画面４０の一例を示す模式図である。表示画面４０は、種類情報の一覧を含む。表示画面４０に含まれる種類情報は、記憶部２４に記憶されている第１の情報２６（第１テーブル２６Ａ（図４（Ａ）参照））に登録されている種類情報と一致する。
【００５６】
ユーザは、パネル装置６に表示された表示画面４０を参照しながら、所望の出力解像度に応じた種類情報を選択する。これにより、ユーザは、所望のスクリーンに対応する種類情報を選択する。図３に戻り、すると、受付部１６は、ユーザによって選択された種類情報を受付ける。
【００５７】
入力情報判断部１７は、受付部１６で受付けた種類情報が、スクリーンを使用する中間調処理か、スクリーンを使用しない中間調処理であるか、を判断する。スクリーンを使用しない中間調処理は、種類情報として誤差拡散が指定されたことを意味する。
【００５８】
入力情報判断部１７は、第１テーブル２６Ａにおける、受付けた種類情報に対応するスクリーンＩＤが、“ＳｃｒｅｅｎＩＤ１”〜“ＳｃｒｅｅｎＩＤ４”の何れかである場合、スクリーンを使用すると判断する。そして、入力情報判断部１７は、受付けた種類情報に対応するスクリーンＩＤを、スクリーン設定部１８と、スクリーン生成部１９と、中間調生成部１５と、に出力する。
【００５９】
また、入力情報判断部１７は、第２テーブル２６Ｂにおける、受付けたスクリーンＩＤに対応する特色情報のスクリーン線数およびスクリーン角度を、スクリーン生成部１９に出力する。
【００６０】
入力情報判断部１７は、第１テーブル２６Ａにおける、受付けた種類情報に対応するスクリーンＩＤが、“ＳｃｒｅｅｎＩＤ５”である場合、スクリーンを使用しないと判断する。そして、入力情報判断部１７は、受付けた種類情報に対応するスクリーンＩＤを、中間調生成部１５に設定する。この場合、中間調生成部１５は、総量規制部１４から受付けた画像データ３４に対して、誤差拡散処理を行う。
【００６１】
スクリーン生成部１９は、特色スクリーンを生成する。特色スクリーンは、特色画像データ３２の中間調処理に用いるスクリーンである。
【００６２】
スクリーン生成部１９は、受付部１６で受付けた種類情報を入力情報判断部１７から受付ける。また、スクリーン生成部１９は、該種類情報に対応するスクリーンＩＤと、該スクリーンＩＤに対応する特色情報のスクリーン線数およびスクリーン角度と、を入力情報判断部１７から受付ける。
【００６３】
そして、スクリーン生成部１９は、読取ったスクリーン線数およびスクリーン角度の特色スクリーンを生成する。スクリーン生成部１９は、生成した特色スクリーンを、該スクリーンＩＤに対応づけて記憶部２４へ記憶する。
【００６４】
詳細には、スクリーン生成部１９は、入力情報判断部１７から受付けた、特色情報のスクリーン線数およびスクリーン角度を用いて、これらのスクリーン線数およびスクリーン角度を示すスクリーンを生成する。さらに、スクリーン生成部１９は、生成したスクリーンの位相を、入力情報判断部１７から受付けた種類情報に対応するスクリーンＩＤに応じた、有色情報に対応する有色スクリーンの第１の位相に対してずらす。
【００６５】
これにより、スクリーン生成部１９は、第１の位相に対して位相をずらした、第２の位相の特色スクリーンを生成する。
【００６６】
有色スクリーンは、有色画像データ３０の中間調処理に用いるスクリーンである。本実施の形態では、記憶部２４には、スクリーンＩＤに対応する、有色情報の有色スクリーンが予め記憶されているものとする。この有色情報の有色スクリーンは、ＣＭＹＫの各色の色スクリーンを含む。これらのＣＭＹＫの各色スクリーンの各々は、第２テーブル２６Ｂに示すスクリーン線数およびスクリーン角度を示す。
【００６７】
すなわち、本実施の形態では、有色の各色の各々に対応するＣＭＹＫの各々の色スクリーンは、スクリーン角度およびスクリーン線数が互いに異なる。
【００６８】
ここで、上述したように、第１の情報２６の第２テーブル２６Ｂには、特色情報に対応するスクリーン線数およびスクリーン角度として、有色情報に含まれる色情報の内の何れかに一致するスクリーン線数およびスクリーン角度が登録されている。このため、スクリーン生成部１９は、有色に含まれる複数種類の色の各々に対応する色スクリーンの内の１つに規定される第１の位相を、第２の位相にずらした、特色スクリーンを生成する。
【００６９】
すなわち、スクリーン生成部１９は、色スクリーンの内の１つと同じスクリーン角度およびスクリーン線数であり、且つ、該色スクリーンとは異なる位相の、特色スクリーンを生成する。特色スクリーンと、有色スクリーンにおける複数種類の色の色スクリーンの内の１つと、のスクリーン角度およびスクリーン線数を共通とすることで、モアレを防ぐことができる。
【００７０】
なお、特色スクリーンの生成時に、第１の位相から第２の位相へと位相をずらす量（位相ずれ量）は、予め記憶しておけばよい。そして、スクリーン生成部１９は、位相ずれ量を読取り、第１の位相に対して位相をずらした第２の位相の特色スクリーンを生成すればよい。
【００７１】
図６は、スクリーン５４の一例を示す模式図である。図６に示すように、スクリーン５４は、色材を付与する領域である網点６１の周期的な配列線Ｌによって表される。
【００７２】
図６（Ａ）は、有色スクリーン５０の一例を示す模式図である。図６（Ａ）に示すように、有色スクリーン５０は、有色色材を付着させる領域である有色網点６０を周期的に配列したパターンデータである。有色スクリーン５０における、有色網点６０の周期的な配列線ＬＡによって表される位相が、第１の位相に相当する。
【００７３】
なお、有色スクリーン５０は、有色の各色の各々に対応する色スクリーン（色スクリーン５０Ｃ、５０Ｍ、５０Ｙ、５０Ｋ）を含む。これらの各色スクリーン（色スクリーン５０Ｃ、５０Ｍ、５０Ｙ、５０Ｋ）の各々は、第２テーブル２６Ｂ（図４（Ｂ）参照）における有色情報に含まれる各色情報（Ｃ、Ｍ、Ｙ、Ｋ）の各々に対応するスクリーン線数およびスクリーン角度を示す。このため、これらの色スクリーン（色スクリーン５０Ｃ、５０Ｍ、５０Ｙ、５０Ｋ）は、互いにスクリーン線数およびスクリーン角度が異なる。
【００７４】
図６（Ａ）には、一例として、有色スクリーン５０の内の１つである色スクリーン５０Ｙにおける、有色網点６０の配列のパターンの一例を示した。
【００７５】
図６（Ｂ）は、特色スクリーン５２の一例を示す模式図である。図６（Ｂ）に示すように、特色スクリーン５２は、特色色材を付着させる領域である特色網点６２を周期的に配列したものである。特色スクリーン５２における、特色網点６２の周期的な配列線ＬＢによって表される位相が、第２の位相に相当する。
【００７６】
この特色スクリーン５２は、第２テーブル２６Ｂ（図４（Ｂ）参照）における特色情報に対応する、スクリーン線数およびスクリーン角度を示す。このため、特色スクリーン５２のスクリーン線数およびスクリーン角度は、有色に含まれる複数種類の色の各々の内の、１つの色情報に対応するスクリーン線数およびスクリーン角度と同じである。図４および図６に示す例では、特色スクリーン５２は、Ｙ色の色スクリーン５０Ｙと同じスクリーン線数およびスクリーン角度であり、配列線Ｌによって表される位相が異なる。
【００７７】
なお、特色スクリーン５２の位相である第２の位相は、有色スクリーン５０の第１の位相とは異なる。例えば、第２の位相は、第１の位相に対して、１／２位相ずれていることが好ましい。
【００７８】
本実施の形態では、スクリーン生成部１９は、このような位相の関係を示す、特色スクリーン５２を生成する。
【００７９】
スクリーン５４の生成について、さらに詳細に説明する。図７は、特色スクリーン５２の生成の一例を示す説明図である。
【００８０】
まず、スクリーン生成部１９は、入力情報判断部１７から受付けたスクリーンＩＤに対応する、有色情報のＣＭＹＫの各々の色に対応する有色スクリーン５０（色スクリーン５０Ｃ、５０Ｍ、５０Ｙ、５０Ｋ）を、記憶部２４から読取る。
【００８１】
次に、スクリーン生成部１９は、特色スクリーン５２を生成する。スクリーン生成部１９は、入力情報判断部１７から受付けた、スクリーンＩＤと、該スクリーンＩＤに対応する特色情報のスクリーン線数およびスクリーン角度と、を読取る。
【００８２】
そして、スクリーン生成部１９は、該スクリーンＩＤに対応する、有色スクリーン５０（色スクリーン５０Ｃ、５０Ｍ、５０Ｙ、５０Ｋ）の内、読取った特色情報と同じスクリーン線数およびスクリーン角度の色スクリーンを特定する。例えば、色スクリーン５０Ｙを特定したと仮定する。
【００８３】
そして、スクリーン生成部１９は、特定した色スクリーン（例えば、色スクリーン５０Ｙ）の第１の位相を、第２の位相にずらすことによって、特色スクリーン５２を生成する。
【００８４】
すなわち、スクリーン生成部１９は、特色と同じスクリーン線数およびスクリーン角度を示す色情報の色スクリーン（例えば、色スクリーン５０Ｙ）を基準として、位相を第２の位相にずらすことによって、特色スクリーン５２を生成する。
【００８５】
詳細には、スクリーン線数とスクリーン角度の同じ色情報の色スクリーンが、色スクリーン５０Ｙであったとする。そして、色スクリーン５０Ｙに示される、有色網点６０の内の１点を、原点ｄ０（ｘ０，ｙ０）に設定する。
【００８６】
そして、この原点ｄ０から０度の方向に伸ばした直線をｘ軸とし、原点ｄ０から９０度の方向に伸ばした直線をｙ軸とする。さらに、スクリーン生成部１９は、原点ｄ０から主走査方向に沿って、複数の有色網点６０を通るように伸ばした直線を、色スクリーン５０Ｙの配列線ＬＡの１つである配列線ＬＡ１とする。なお、主走査方向とは、印刷データに応じた画像形成時における、形成対象の記録媒体の搬送方向に対して直交する方向を示す。画像形成や記録媒体の搬送は、エンジン部８によって行われる。
【００８７】
さらに、原点ｄ０から副走査方向に最も近い有色網点６０を、ｄ３（ｘ３，ｙ３）とする。副走査方向とは、主走査方向に直交する方向である。このｄ３から主走査方向に沿って、複数の有色網点６０を通るように伸ばした直線を、色スクリーン５０Ｙの配列線ＬＡの１つである配列線ＬＡ２とする。
【００８８】
そして、原点ｄ０から配列線ＬＡ１方向に最も近い有色網点６０を、ｄ１（ｘ１，ｙ１）とする。また、ｄ３の有色網点６０から配列線ＬＡ２方向に最も近い有色網点６０を、ｄ２（ｘ２，ｙ２）と設定する。
【００８９】
この場合、ｄ３とした有色網点６０から、ｄ１とした有色網点６０までの、ｘ軸方向の距離Δｘは、Δｘ＝ｘ１＋ｘ３と表せる。また、ｄ０とした有色網点６０から、ｄ２とした有色網点６０までの、ｙ軸方向の距離Δｙは、Δｙ＝ｙ２＋ｙ０と表せる。
【００９０】
そして、スクリーン生成部１９は、色スクリーン５０Ｙの位相を、ｘ軸方向にｎ、ｙ軸方向にｍ、ずらす。なお、０＜ｍ＜１、０＜ｎ＜１の関係を満たす。これにより、スクリーン生成部１９は、色スクリーン５０Ｙの第１の位相を第２の位相へずらす。これにより、特色スクリーン５２を生成する。
【００９１】
この場合、特色スクリーン５２の特色網点６２の１つであるｄ４の位置座標は、（ｘ，ｙ）＝（Δｘ×ｎ，Δｙ×ｍ）で表す事ができる。
【００９２】
なお、ｎおよびｍの各々の最も好ましい値は、１／２である。すなわち、第１の位相と第２の位相とは、１／２位相ずれた位相であることが最も好ましい。１／２位相のずれとすることで、有色のドットまたは特色のドットの付着位置にずれが生じた場合であっても、色相に与える影響を最小限とすることができる。
【００９３】
スクリーン生成部１９は、特色網点６２の１つであるｄ４を基準点とし、受付部１６で受付けた種類情報に対応するスクリーン線数およびスクリーン角の、特色スクリーン５２を生成する。
【００９４】
これにより、スクリーン生成部１９は、スクリーン線数とスクリーン角度が同じ色情報の色スクリーンを基準として、ｘ軸方向にｎ、ｙ軸方向にｍ、位相をずらした、特色スクリーン５２を生成する。言い換えると、スクリーン生成部１９は、スクリーン線数とスクリーン角度が同じ色情報の色スクリーンを基準として、位相を、第１の位相から第２の位相へずらした、特色スクリーン５２を生成する（図６も参照）。
【００９５】
図３に戻り、説明を続ける。そして、スクリーン生成部１９は、生成した特色スクリーン５２を、スクリーンＩＤおよび特色情報に対応づけて、記憶部２４に記憶する。
【００９６】
スクリーン設定部１８は、受付部１６で受付けた種類情報に対応するスクリーンＩＤを、第１の情報２６から特定する。そして、スクリーン設定部１８は、特定したスクリーンＩＤに対応する、スクリーン５４（有色スクリーン５０（色スクリーン５０Ｃ、５０Ｍ、５０Ｙ、５０Ｋ）と、特色スクリーン５２）を、中間調生成部１５へ出力する。
【００９７】
中間調生成部１５は、有色中間調生成部１５Ａと、特色中間調生成部１５Ｂと、を含む。
【００９８】
有色中間調生成部１５Ａは、スクリーン設定部１８が特定したスクリーンＩＤに対応する、スクリーン５４（有色スクリーン５０（色スクリーン５０Ｃ、５０Ｍ、５０Ｙ、５０Ｋ））を用いて、有色画像データ３０から有色中間調データを生成する。有色中間調データは、有色に含まれるＣＭＹＫの各色に対応する、色中間調データを含む。
【００９９】
すなわち、有色中間調生成部１５Ａは、有色スクリーン５０（色スクリーン５０Ｃ、５０Ｍ、５０Ｙ、５０Ｋ）を用いて、有色画像データ３０（色画像データ３０Ｃ、３０Ｍ、３０Ｙ、３０Ｋ）の各々を網点群（有色網点６０の群）によって表した、有色中間調データ（ＣＭＹＫの各々の色中間調データ）を生成する。
【０１００】
特色中間調生成部１５Ｂは、スクリーン設定部１８が特定したスクリーンＩＤに対応する、特色スクリーン５２を用いて、特色画像データ３２から特色中間調データを生成する。
【０１０１】
すなわち、特色中間調生成部１５Ｂは、有色スクリーン５０に規定される網点６１（有色網点６０）の周期的な配列線Ｌによって表される第１の位相とは異なる第２の位相の特色スクリーン５２を用いて、特色画像データ３２を網点群によって表した特色中間調データを生成する。
【０１０２】
言い換えると、特色中間調生成部１５Ｂは、複数種類の色の各々に対応する色スクリーン（色スクリーン５０Ｃ、５０Ｍ、５０Ｙ、５０Ｋ）の内の１つに規定される第１の位相を第２の位相にずらした、特色スクリーン５２を用いて、特色中間調データを生成する。
【０１０３】
そして、中間調生成部１５は、生成した特色中間調データおよび有色中間調データ（ＣＭＹＫの色中間調データ）を、印刷データとして、エンジン部８へ出力する。
【０１０４】
エンジン部８は、受信した印刷データに基づいて、記録媒体に画像を形成する。すなわち、エンジン部８は、印刷データに含まれる有色中間調データに示される有色網点６０に相当する領域に有色色材を付与することで、記録媒体に有色画像を形成する。詳細には、エンジン部８は、有色中間調データに含まれる、ＣＭＹＫの各色中間調データを用いて、対応する色の有色色材を付与することで、記録媒体にＣＭＹＫの有色画像を形成する。
【０１０５】
また、エンジン部８は、印刷データに含まれる特色中間調データに示される特色網点６２に相当する領域に特色色材を付与することで、記録媒体に特色画像を形成する。
【０１０６】
ここで、上述したように、特色スクリーン５２は、有色スクリーン５０に規定される網点６１（有色網点６０）の周期的な配列線Ｌによって表される第１の位相とは異なる第２の位相のスクリーンである。
【０１０７】
このため、記録媒体Ｐ上において、有色色材によるドットと、特色色材によるドットと、は、位相のズレに応じてずれた位置に形成される。
【０１０８】
図８および図９は、記録媒体Ｐに形成された、特色ドットＤＩと有色ドットＤＣとの位置関係の一例を示す模式図である。図８に示すように、記録媒体Ｐには、特色ドットＤＩと有色ドットＤＣとが、スクリーンにおける位相のずれに応じてずれた位置に形成される。
【０１０９】
このため、本実施の形態では、図９に示すように、記録媒体Ｐ上において、有色ドットＤＣと、特色ドットＤＩとは、中間調処理時に用いたスクリーンの位相のズレに応じてずれた位置に形成される。このため、有色ドットＤＣの領域に到達した光Ｓと、特色ドットＤＩの領域に到達した光Ｓと、による光の干渉を抑制することができる。
【０１１０】
一方、従来では、有色ドットＤＣの領域に到達した光Ｓと、特色ドットＤＩの領域に到達した光Ｓと、による光の干渉が生じていた。図１０は、従来の方式により記録媒体Ｐに形成された、有色ドットＤＣと特色ドットＤＩとの位置関係の一例を示す模式図である。
【０１１１】
図１０に示すように、従来の方式では、記録媒体Ｐ上の１つの画素に対応する領域において、有色ドットＤＣ上に特色ドットＤＩが重ねて形成されていた。このため、有色ドットＤＣの表面で反射した光Ｓと、特色ドットＤＩの表面で反射した光Ｓと、による光の干渉が生じていた。このため、従来の方式では、再現性の低下が生じていた。
【０１１２】
一方、本実施の形態の画像処理装置１０では、有色色材によって実現される色味を損なわずに、特色色材による特色効果を実現することができる。
【０１１３】
次に、本実施の形態の画像処理装置１０で実行する画像処理の手順を説明する。
【０１１４】
図１１は、本実施の形態の画像処理装置１０で実行する画像処理の手順の一例を示すフローチャートである。なお、取得部１１が、画像データ３４を取得し、γ変換部１３および総量規制部１４によって処理された画像データ３４（有色画像データ３０、特色画像データ３２）が、中間調生成部１５へ出力されているものとして説明する。
【０１１５】
まず、受付部１６が、種類情報の指定を受付ける（ステップＳ１００）。例えば、受付部１６は、図５に示す表示画面４０を表示する。ユーザは、パネル装置６に表示された表示画面４０を参照しながら、所望の出力解像度に応じた種類情報を選択する。すると、受付部１６は、ユーザによって選択された種類情報を受付ける。
【０１１６】
次に、入力情報判断部１７が、ステップＳ１００で受付けた種類情報が、スクリーンを使用する中間調処理か、スクリーンを使用しない中間調処理であるか、を判断する（ステップＳ１０２）。
【０１１７】
スクリーンを使用すると判断した場合（ステップＳ１０２：Ｙｅｓ）、ステップＳ１０４へ進む。ステップＳ１０４では、入力情報判断部１７が、ステップＳ１００で受付けた種類情報に対応するスクリーンＩＤと、該スクリーンＩＤに対応する、有色情報（色情報）および特色情報の各々に対応するスクリーン線数およびスクリーン角度と、を、中間調生成部１５、スクリーン設定部１８、およびスクリーン生成部１９の各々へ設定（出力）する（ステップＳ１０４）。
【０１１８】
次に、スクリーン生成部１９が、特色スクリーン５２を生成する（ステップＳ１０６）。なお、図１１に示す処理ルーチンでは、スクリーン生成部１９は、予め有色スクリーン５０を生成し、記憶部２４へ記憶しているものとして説明する。
【０１１９】
ステップＳ１０６では、スクリーン生成部１９は、ステップＳ１０４で設定されたスクリーンＩＤおよび特色情報に対応する、スクリーン線数およびスクリーン角度を、記憶部２４における第２テーブル２６Ｂから読取る。そして、スクリーン生成部１９は、読取った特色情報に対応するスクリーン線数およびスクリーン角度を用いて、このスクリーン線数およびスクリーン角度を示すスクリーンを生成する。さらに、スクリーン生成部１９は、生成したスクリーンの位相を、ステップＳ１０４で設定された種類情報および有色情報に対応するスクリーン線数およびスクリーン角度を示す有色スクリーン５０の、第１の位相に対してずらす。これにより、スクリーン生成部１９は、第１の位相に対して位相をずらした、第２の位相の特色スクリーン５２を生成する。
【０１２０】
そして、スクリーン生成部１９は、生成した特色スクリーン５２を、スクリーンＩＤおよび特色情報に対応づけて、記憶部２４に記憶する（ステップＳ１０８）。
【０１２１】
次に、スクリーン設定部１８が、ステップＳ１００で受付けた種類情報に対応するスクリーンＩＤを、第１の情報２６から特定する。そして、スクリーン設定部１８は、特定したスクリーンＩＤに対応する、スクリーン５４（有色スクリーン５０（色スクリーン５０Ｃ、５０Ｍ、５０Ｙ、５０Ｋ）と、特色スクリーン５２）を、中間調生成部１５へ出力する。これにより、スクリーン設定部１８が、中間調処理に用いるスクリーン５４を、中間調生成部１５に設定（出力）する（ステップＳ１１０）。
【０１２２】
次に、中間調生成部１５が、有色画像データ３０および特色画像データ３２の各々に対して、ステップＳ１１０で設定されたスクリーン５４を用いて、スクリーン処理（中間調処理）を実行する（ステップＳ１１２）。
【０１２３】
ステップＳ１１２では、中間調生成部１５の有色中間調生成部１５Ａが、スクリーン設定部１８が設定した有色スクリーン５０（色スクリーン５０Ｃ、５０Ｍ、５０Ｙ、５０Ｋ）を用いて、有色画像データ３０から有色中間調データを生成する。すなわち、有色中間調生成部１５Ａは、有色スクリーン５０（色スクリーン５０Ｃ、５０Ｍ、５０Ｙ、５０Ｋ）を用いて、有色画像データ３０（色画像データ３０Ｃ、３０Ｍ、３０Ｙ、３０Ｋ）の各々を網点群（有色網点６０の群）によって表した、有色中間調データ（ＣＭＹＫの各々の色中間調データ）を生成する。
【０１２４】
また、ステップＳ１１２では、中間調生成部１５の特色中間調生成部１５Ｂが、スクリーン設定部１８が設定した特色スクリーン５２を用いて、特色画像データ３２から特色中間調データを生成する。
【０１２５】
すなわち、特色中間調生成部１５Ｂは、有色スクリーン５０に規定される網点６１（有色網点６０）の周期的な配列線Ｌによって表される第１の位相とは異なる第２の位相の特色スクリーン５２を用いて、特色画像データ３２を網点群によって表した特色中間調データを生成する。
【０１２６】
そして、中間調生成部１５は、生成した有色中間調データおよび特色中間調データを含む印刷データを、エンジン部８へ出力し（ステップＳ１１３）、本ルーチンを終了する。
【０１２７】
一方、ステップＳ１０２の判断において、スクリーンを使用しないと判断した場合（ステップＳ１０２：Ｎｏ）、ステップＳ１１４へ進む。ステップＳ１１４では、スクリーン設定部１８が、ステップＳ１００で受付けた種類情報に対応するスクリーンＩＤと、該スクリーンＩＤに対応する中間調処理種類（この場合、誤差拡散）を、中間調生成部１５へ設定（出力）する（ステップＳ１１４）。
【０１２８】
次に、中間調生成部１５が、有色画像データ３０および特色画像データ３２の各々に対して、誤差拡散を行うことで、中間調処理を実行する（ステップＳ１１６）。これにより、中間調処理がスクリーン線数およびスクリーン角度のない誤差拡散である場合についても、特色中間調データを生成することができる。
【０１２９】
そして、中間調生成部１５は、誤差拡散によって生成した、有色中間調データおよび特色中間調データを含む印刷データを、エンジン部８へ出力し（ステップＳ１１７）、本ルーチンを終了する。
【０１３０】
以上説明したように、本実施の形態の画像処理装置１０は、取得部１１と、有色中間調生成部１５Ａと、特色中間調生成部１５Ｂと、を備える。取得部１１は、有色の有色画像データ３０と、特色の特色画像データ３２と、を含む画像データ３４を取得する。有色中間調生成部１５Ａは、網点６１（有色網点６０）の周期的な配列線Ｌを規定した有色スクリーン５０を用いて、有色画像データ３０を網点群によって表した有色中間調データを生成する。特色中間調生成部１５Ｂは、有色スクリーン５０に規定される周期的な配列線ＬＡによって表される第１の位相とは異なる第２の位相の特色スクリーン５２を用いて、特色画像データ３２を網点群によって表した特色中間調データを生成する。
【０１３１】
このように、本実施の形態で用いる特色スクリーン５２は、有色スクリーン５０に規定される網点６１（有色網点６０）の周期的な配列線Ｌによって表される第１の位相とは異なる第２の位相のスクリーンである。このため、有色中間調データに基づいて記録媒体Ｐに形成された有色色材によるドットと、特色中間調データに基づいて記録媒体Ｐに形成された特色色材によるドットと、は、位相のズレに応じてずれた位置に形成される。
【０１３２】
このため、有色ドットの領域に到達した光と、特色ドットの領域に到達した光と、による光の干渉を抑制することができる。すなわち、図９を用いて説明したように、本実施の形態では、記録媒体Ｐ上において、有色ドットＤＣと、特色ドットＤＩとは、中間調処理時に用いたスクリーンの位相のズレに応じてずれた位置に形成される。このため、有色ドットＤＣの領域に到達した光Ｓと、特色ドットＤＩの領域に到達した光Ｓと、による光の干渉を抑制することができる。
【０１３３】
従って、本実施の形態の画像処理装置１０は、有色色材によって実現される色味を損なわずに、特色色材による特色効果を実現することができる。
【０１３４】
なお、特色は、透明（無色透明）であることが好ましい。特色が透明である場合、最も光の干渉が生じやすい。このため、本実施の形態の画像処理装置１０では、特色が透明（無色透明）を示す場合に、特に効果的に、有色色材によって実現される色味を損なわずに、特色色材による特色効果を実現することができる。
【０１３５】
また、有色画像データ３０は、色の異なる複数種類の色画像データ（色画像データ３０Ｃ、３０Ｍ、３０Ｙ、３０Ｋ）を含む。有色スクリーン５０は、複数種類の色の各々に対応する、互いに異なるスクリーン角度およびスクリーン線数の色スクリーン（色スクリーン５０Ｃ、５０Ｍ、５０Ｙ、５０Ｋ）を含む。特色中間調生成部１５Ｂは、複数種類の色の各々に対応する色スクリーン５０Ｃ、５０Ｍ、５０Ｙ、５０Ｋの内の１つに規定される第１の位相を第２の位相にずらした特色スクリーン５２を用いて、特色中間調データを生成する。
【０１３６】
また、記憶部２４は、第１の情報２６を記憶する。第１の情報２６は、中間調処理の種類を示す種類情報と、有色を示す有色情報および特色を示す特色情報の各々に対応するスクリーン線数およびスクリーン角度と、を対応づけた情報である。受付部１６は、種類情報の指定を受付ける。スクリーン生成部１９は、受付けた種類情報および特色情報に対応するスクリーン線数およびスクリーン角度を示すスクリーンの位相を、受付けた種類情報および有色情報に対応するスクリーン線数およびスクリーン角度を示す有色スクリーン５０の第１の位相に対してずらすことによって第２の位相とした、特色スクリーン５２を生成する。
【０１３７】
なお、特色中間調生成部１５Ｂは、複数種類の色の内、黒色に対応する色スクリーン（色スクリーン５０Ｋ）に規定される第１の位相を第２の位相にずらした、特色スクリーン５２を用いて、特色中間調データを生成することが好ましい。
【０１３８】
（第２の実施の形態）
なお、第１の実施の形態では、第１の情報２６（図４参照）には、有色情報および特色情報の各々に対応する、スクリーン線数およびスクリーン角度の各々が予め登録されている場合を説明した。また、第１の実施の形態では、有色スクリーン５０は予め生成され、スクリーン生成部１９は、特色スクリーン５２を生成する場合を説明した。
【０１３９】
本実施の形態では、ユーザが、有色情報に対応するスクリーン線数およびスクリーン角度として任意の値を設定する場合を説明する。また、本実施の形態では、スクリーン生成部１９が、有色スクリーン５０および特色スクリーン５２の各々を生成する場合を説明する。
【０１４０】
図１２は、本実施の形態の画像処理装置１０Ａの機能的構成を示すブロック図である。なお、画像処理装置１０Ａのハードウェア構成は、第１の実施の形態の画像処理装置１０（図１参照）と同様である。
【０１４１】
画像処理装置１０Ａは、画像処理部２０Ａと、記憶部２４０と、を備える。画像処理部２０Ａと記憶部２４０とは、互いにデータや信号授受可能に接続されている。
【０１４２】
記憶部２４０は、各種情報を記憶する。記憶部２４０は、例えば、ＨＤＤなどで実現する。
【０１４３】
本実施の形態では、記憶部２４０は、第１の情報２７を記憶する。第１の情報２７は、画像処理部２０Ａで実行する中間調処理時に用いる情報である。
【０１４４】
図１３は、第１の情報２７のデータ構成の一例を示す図である。第１の情報２７は、種類情報と、有色情報および特色情報の各々に対応するスクリーン線数およびスクリーン角度と、を対応づけたものである。
【０１４５】
本実施の形態では、第１の情報２７を、第１テーブル２７Ａと、第２テーブル２７Ｂと、に分けて用いる場合を説明する。なお、第１テーブル２７Ａと第２テーブル２７Ｂとをまとめて、１つのテーブルやデータベースとして構成してもよい。
【０１４６】
図１３（Ａ）は、第１テーブル２７Ａのデータ構成の一例を示す模式図である。第１テーブル２７Ａは、第１の実施の形態の第１テーブル２６Ａと同様に、種類情報と、スクリーンＩＤと、中間調処理種類と、を対応づけたデータである。本実施の形態では、第１テーブル２７Ａは、種類情報として、“ユーザ指定”を更に含む。種類情報“ユーザ指定”は、ユーザによって指定された任意のスクリーン角度やスクリーン線数のスクリーンを示す。
【０１４７】
図１３（Ｂ）は、第２テーブル２７Ｂのデータ構成の一例を示す模式図である。第２テーブル２７Ｂは、第１の実施の形態の第２テーブル２６Ｂと同様に、スクリーンＩＤと、有色情報および特色情報の各々に対応する、スクリーン線数およびスクリーン角度の各々を対応づけたものである。本実施の形態では、第２テーブル２７Ｂは、第２テーブル２６Ｂに加えて、スクリーンＩＤとして、ユーザによって設定された、スクリーン線数およびスクリーン角度のスクリーンを示す、“ＳｃｒｅｅｎＩＤ６”を含む。
【０１４８】
第２テーブル２７Ｂにおける、ＳｃｒｅｅｎＩＤ６に対応する、有色情報のスクリーン線数およびスクリーン角度は、ユーザによって設定される。また、本実施の形態では、ＳｃｒｅｅｎＩＤ６に対応する、特色情報のスクリーン線数およびスクリーン角度は、第２テーブル２７Ｂに登録せずに用いる。
【０１４９】
図１２に戻り、説明を続ける。画像処理部２０Ａは、取得部１１と、色変換処理部１２と、γ変換部１３と、総量規制部１４と、中間調生成部１５と、受付部１６２と、入力情報判断部１７と、スクリーン設定部１８と、スクリーン生成部１９２と、を備える。画像処理部２０Ａは、受付部１６およびスクリーン生成部１９に代えて、受付部１６２およびスクリーン生成部１９２の各々を備えた以外は、第１の実施の形態の画像処理部２０と同様の構成である。
【０１５０】
受付部１６２は、種類情報の指定と、有色情報に対応するスクリーン線数およびスクリーン角度の入力と、を受付ける。例えば、受付部１６２は、種類情報の指定を受付けるための表示画面を、パネル装置６へ表示する。
【０１５１】
図１４は、表示画面の一例を示す模式図である。図１４（Ａ）は、表示画面４２の一例を示す模式図である。図１４（Ｂ）は、表示画面４４の一例を示す模式図である。
【０１５２】
表示画面４２は、種類情報の一覧を含む。表示画面４２に含まれる種類情報は、記憶部２４０に記憶されている第１の情報２７（第１テーブル２７Ａ（図１３（Ａ）参照））に登録されている種類情報と一致する。このため、本実施の形態では、表示画面４２は、種類情報として“ユーザ指定”を含む。
【０１５３】
ユーザは、パネル装置６に表示された表示画面４２を参照しながら、所望の種類情報を選択する。本実施の形態では、ユーザは、種類情報“ユーザ指定”を選択する場合を説明する。
【０１５４】
ユーザが種類情報“ユーザ指定”を選択すると、受付部１６２は、種類情報“ユーザ指定”を受付ける。すると、受付部１６２は、有色情報に含まれる色情報の各々に対応するスクリーン線数およびスクリーン角度の各々の入力を受付けるための表示画面４４を、パネル装置６へ表示する。例えば、図１４（Ｂ）に示す表示画面４４が、パネル装置６へ表示される。
【０１５５】
ユーザは、表示画面４４を参照しながらパネル装置６を操作することで、複数種類の色（Ｃ、Ｍ、Ｙ、Ｋ）の各々に対応する、互いに異なるスクリーン角度およびスクリーン線数を入力する。
【０１５６】
受付部１６２は、有色に含まれる複数種類の色（ＣＭＹＫの色）の各々を示す色情報にそれぞれ対応する、スクリーン角度およびスクリーン線数を含む、設定情報を受付ける。
【０１５７】
スクリーン生成部１９２は、有色スクリーンおよび特色スクリーンを生成する。スクリーン生成部１９２は、有色スクリーン生成部１９２Ａと、特色スクリーン生成部１９２Ｂと、を含む。
【０１５８】
有色スクリーン生成部１９２Ａは、複数種類の色（ＣＭＹＫの色）の各々ごとに、受付部１６２が受付けた設定情報に含まれるスクリーン線数およびスクリーン角度の、色スクリーン（色スクリーン５０Ｃ、５０Ｍ、５０Ｙ、５０Ｋ）を生成する。
【０１５９】
色スクリーン（色スクリーン５０Ｃ、５０Ｍ、５０Ｙ、５０Ｋ）の生成方法は、受付部１６２が受付けた設定情報に含まれる、各色情報の各々に対応するスクリーン角度およびスクリーン線数を用いる以外は、第１の実施の形態と同様である。
【０１６０】
特色スクリーン生成部１９２Ｂは、複数種類の色の各々に対応する色スクリーン（色スクリーン５０Ｃ、５０Ｍ、５０Ｙ、５０Ｋ）の内の１つに規定される第１の位相を、第２の位相にずらした特色スクリーン５２を生成する。
【０１６１】
特色スクリーン生成部１９２Ｂは、位相をずらす元となるスクリーンとして、有色スクリーン生成部１９２Ａが作成した色スクリーン（色スクリーン５０Ｃ、５０Ｍ、５０Ｙ、５０Ｋ）の内の１つを用いる以外は、第１の実施の形態と同様にして、第１の位相から第２の位相へと位相をずらすことで、特色スクリーン５２を生成すればよい。
【０１６２】
なお、特色スクリーン生成部１９２Ｂは、位相をずらす元となるスクリーンとして、有色スクリーン生成部１９２Ａが作成した色スクリーン（色スクリーン５０Ｃ、５０Ｍ、５０Ｙ、５０Ｋ）の内、他の色との干渉の発生が少ない色を用いる。例えば、黒色に対応する色スクリーン５０Ｋを用いる。これは、黒が強調されても画像の色相は変わらないことから、色相方向での色再現性が悪くなりにくいためである。
【０１６３】
次に、本実施の形態の画像処理装置１０Ａで実行する画像処理の手順を説明する。
【０１６４】
図１５は、本実施の形態の画像処理装置１０Ａで実行する画像処理の手順の一例を示すフローチャートである。なお、取得部１１が、画像データ３４を取得し、γ変換部１３および総量規制部１４によって処理された画像データ３４（有色画像データ３０、特色画像データ３２）が、中間調生成部１５へ出力されているものとして説明する。また、本実施の形態では、種類情報の指定として、“ユーザ指定”が選択される場合を説明する。
【０１６５】
まず、受付部１６２が、種類情報の指定を受付ける（ステップＳ２００）。例えば、受付部１６２は、図１４に示す表示画面４２を表示する。ユーザは、パネル装置６に表示された表示画面４２を参照しながら、所望の種類情報を選択する。本実施の形態では、種類情報“ユーザ指定”が選択される場合を説明する。受付部１６２は、ユーザによって選択された種類情報“ユーザ指定”を受付ける。
【０１６６】
次に、受付部１６２が、有色に含まれる複数種類の色（ＣＭＹＫの色）の各々を示す色情報にそれぞれ対応する、スクリーン角度およびスクリーン線数を含む、設定情報を受付ける（ステップＳ２０２）。例えば、受付部１６２は、図１４（Ｂ）に示す表示画面４４を表示することで、各色の各々のスクリーン線数およびスクリーン角度の入力を受付ける。
【０１６７】
次に、入力情報判断部１７が、受付けたスクリーンＩＤ、線数、角度を設定する（ステップＳ２０４）。
【０１６８】
次に、スクリーン生成部１９２が、ステップＳ２０２で受付けた設定情報を用いて、有色スクリーン５０と特色スクリーン５２とを生成する（ステップＳ２０６）。
【０１６９】
次に、スクリーン生成部１９２は、生成した有色スクリーン５０および特色スクリーン５２を、スクリーンＩＤに対応づけて、記憶部２４０に記憶する（ステップＳ２０８）。
【０１７０】
次に、スクリーン設定部１８が、ステップＳ２００で受付けた種類情報に対応するスクリーンＩＤを、第１の情報２７から特定する。そして、スクリーン設定部１８は、特定したスクリーンＩＤに対応する、スクリーン５４（有色スクリーン５０（色スクリーン５０Ｃ、５０Ｍ、５０Ｙ、５０Ｋ）と、特色スクリーン５２）を、記憶部２４０から読取り、中間調生成部１５へ出力する。これにより、スクリーン設定部１８が、中間調処理に用いるスクリーン５４を、中間調生成部１５に設定する（ステップＳ２１０）。
【０１７１】
次に、中間調生成部１５が、有色画像データ３０および特色画像データ３２の各々に対して、ステップＳ２１０で設定されたスクリーン５４を用いて、スクリーン処理（中間調処理）を実行する（ステップＳ２１２）。ステップＳ２１２の処理は、ステップＳ１１２（図１１参照）と同様である。そして、本ルーチンを終了する。
【０１７２】
以上説明したように、本実施の形態の画像処理装置１０Ａは、第２の受付部（受付部１６２）と、有色スクリーン生成部１９２Ａと、特色スクリーン生成部１９２Ｂと、を備える。受付部１６２は、有色に含まれる複数種類の色の各々を示す色情報にそれぞれ対応するスクリーン線数およびスクリーン角度を含む、設定情報を受付ける。有色スクリーン生成部１９２Ａは、複数種類の色の各々ごとに、受付けた設定情報に含まれるスクリーン線数およびスクリーン角度の色スクリーン（色スクリーン５０Ｃ、５０Ｍ、５０Ｙ、５０Ｋ）を生成する。特色スクリーン生成部１９２Ｂは、複数種類の色の各々に対応する色スクリーン（色スクリーン５０Ｃ、５０Ｍ、５０Ｙ、５０Ｋ）の内の１つに規定される第１の位相を第２の位相にずらした特色スクリーン５２を生成する。
【０１７３】
このように、本実施の形態においても、画像処理装置１０Ａは、有色スクリーン５０の第１の位相から第２の位相へと位相をずらした、特色スクリーン５２を生成する。
【０１７４】
このため、ユーザが、有色情報に対応するスクリーン線数およびスクリーン角度として任意の値を設定する場合も、第１の実施の形態と同様に、有色色材によって実現される色味を損なわずに、特色色材による特色効果を実現することができる。
【０１７５】
（変形例１）
なお、上記第２の実施の形態では、有色スクリーン５０については、ユーザによって設定された設定情報に含まれる、スクリーン線数およびスクリーン角度を用いて、有色スクリーン５０を生成する場合を説明した。しかし、有色スクリーン５０および特色スクリーン５２の双方について、スクリーン線数およびスクリーン角度をユーザによって設定可能としてもよい。
【０１７６】
この場合には、受付部１６２（第３の受付部）は、有色に含まれる複数種類の色（ＣＭＹＫの色）の各々を示す色情報にそれぞれ対応するスクリーン角度およびスクリーン線数と、特色を示す特色情報に対応するスクリーン角度およびスクリーン線数と、を含む、設定情報を受付ければよい。
【０１７７】
この場合、例えば、受付部１６２は、有色情報および特色情報の各々に対応する、スクリーン線数およびスクリーン角度の各々の入力を受付けるための表示画面を、パネル装置６へ表示すればよい。図１６は、表示画面４６の一例を示す模式図である。例えば、受付部１６２は、図１６に示す表示画面４６を、パネル装置６へ表示する。
【０１７８】
ユーザは、表示画面４６を参照しながらパネル装置６を操作することで、複数種類の色（Ｃ、Ｍ、Ｙ、Ｋ）および特色の各々に対応する、スクリーン角度およびスクリーン線数を入力する。
【０１７９】
これにより、受付部１６２は、有色に含まれる複数種類の色（ＣＭＹＫの色）の各々を示す色情報にそれぞれ対応するスクリーン角度およびスクリーン線数と、特色を示す特色情報に対応するスクリーン角度およびスクリーン線数と、を含む、設定情報を受付ける。
【０１８０】
そして、スクリーン生成部１９２の有色スクリーン生成部１９２Ａは、第２の実施の形態と同様にして、有色スクリーン５０（色スクリーン５０Ｃ、５０Ｍ、５０Ｙ、５０Ｋ）を生成すればよい。すなわち、有色スクリーン生成部１９２Ａは、複数種類の色の各々ごとに、受付けた設定情報に含まれる色情報のそれぞれに対応するスクリーン線数およびスクリーン角度の、色スクリーン（５０Ｃ、５０Ｍ、５０Ｙ、５０Ｋ）を生成すればよい。
【０１８１】
一方、特色スクリーン生成部１９２Ｂは、受付けた設定情報に含まれる特色情報に対応するスクリーン線数およびスクリーン角度で、且つ、複数種類の色の各々に対応する色スクリーン（５０Ｃ、５０Ｍ、５０Ｙ、５０Ｋ）の内の１つに規定される第１の位相を第２の位相にずらした、特色スクリーン５２を生成すればよい。
【０１８２】
このように、特色スクリーン５２についても、スクリーン線数およびスクリーン角度をユーザによって設定可能とすることで、上記実施の形態の効果に加えて、光沢度などの特色色材による効果を、有色色材による色再現性よりも優先させることができる。
【０１８３】
（変形例２）
なお、上記実施の形態では、第１の位相から第２の位相へ位相をずらす量（位相ずれ量）を、予め記憶する場合を説明した。そして、特色スクリーン５２の生成時に、このずらす量を読取り、位相をずらす場合を説明した。
【０１８４】
しかし、この第１の位相から第２の位相へと位相をずらす量（すなわち、位相ずれ量）は、ユーザによって設定可能としてもよい。
【０１８５】
この場合、受付部１６２（第４の受付部）は、上記設定情報に加えて、更に、第１の位相と第２の位相との位相ずれを示す位相ずれ情報を受付ければよい。
【０１８６】
この場合、例えば、受付部１６２は、有色情報および特色情報の各々に対応する、スクリーン線数およびスクリーン角度と、位相ずれ量と、の各々の入力を受付けるための表示画面を、パネル装置６へ表示する。図１７は、表示画面４８の一例を示す模式図である。例えば、受付部１６２は、図１７に示す表示画面４８を、パネル装置６へ表示する。
【０１８７】
ユーザは、表示画面４８を参照しながらパネル装置６を操作することで、複数種類の色（Ｃ、Ｍ、Ｙ、Ｋ）および特色の各々に対応する、スクリーン角度およびスクリーン線数を入力する。また、ユーザは、ｘ軸方向およびｙ軸方向の各々の位相のずれを示す位相ずれ情報を入力する。なお、図１７中、位相（Ｘ，Ｙ）は、ｘ軸方向およびｙ軸方向の各々の位相ずれ量を示す、位相ずれ情報である。なお、ｘ軸方向およびｙ軸方向の各々の位相のずれは、第１の実施の形態において、図７を用いて説明したため、ここでは説明を省略する。
【０１８８】
これにより、受付部１６２は、設定情報と共に、第１の位相と第２の位相との位相ずれを示す位相ずれ情報を受付ける。
【０１８９】
そして、スクリーン生成部１９２の有色スクリーン生成部１９２Ａは、第２の実施の形態と同様にして、有色スクリーン５０（色スクリーン５０Ｃ、５０Ｍ、５０Ｙ、５０Ｋ）を生成すればよい。すなわち、有色スクリーン生成部１９２Ａは、複数種類の色の各々ごとに、受付けた設定情報に含まれる色情報のそれぞれに対応するスクリーン線数およびスクリーン角度の、色スクリーン（５０Ｃ、５０Ｍ、５０Ｙ、５０Ｋ）を生成すればよい。
【０１９０】
一方、特色スクリーン生成部１９２Ｂは、受付けた設定情報に含まれる特色情報に対応するスクリーン線数およびスクリーン角度で、且つ、複数種類の色の各々に対応する色スクリーン（５０Ｃ、５０Ｍ、５０Ｙ、５０Ｋ）の内の１つに規定される第１の位相を、受付けた位相ずれ情報によって示される位相ずれ量ずらした、第２の位相の特色スクリーン５２を生成すればよい。
【０１９１】
このように、第１の位相から第２の位相へと位相をずらす量（すなわち、位相ずれ量）を、ユーザによって設定可能とすることで、上記実施の形態および変形例の効果に加えて、更に細かい調整を行うことができる。
【０１９２】
（変形例３）
なお、上記実施の形態では、特色スクリーン５２を生成する場合を説明した。しかし、上記実施の形態および上記変形例で説明した特色スクリーン５２を、予め記憶しておいてもよい。そして、中間調処理時に、予め記憶された有色スクリーン５０および特色スクリーン５２を読取り、中間調処理を行ってもよい。
【０１９３】
図１８は、本変形例の画像処理装置１０Ｂの機能的構成を示すブロック図である。なお、画像処理装置１０Ｂのハードウェア構成は、第１の実施の形態の画像処理装置１０（図１参照）と同様である。
【０１９４】
画像処理装置１０Ｂは、画像処理部２０Ｂと、記憶部２４２と、を備える。画像処理部２０Ｂと記憶部２４２とは、互いにデータや信号授受可能に接続されている。
【０１９５】
記憶部２４２は、各種情報を記憶する。記憶部２４２は、例えば、ＨＤＤなどで実現する。本変形例では、記憶部２４２は、第１の情報２８を記憶する。第１の情報２８は、画像処理部２０Ｂで実行する中間調処理時に用いる情報である。
【０１９６】
図１９は、第１の情報２８のデータ構成の一例を示す図である。第１の情報２８は、種類情報と、有色スクリーン５０と、特色スクリーン５２と、を対応づけたものである。有色スクリーン５０は、上記実施の形態と同様に、ＣＭＹＫの色スクリーン（色スクリーン５０Ｃ、５０Ｍ、５０Ｙ、５０Ｋ）を含む。種類情報、有色スクリーン５０、および特色スクリーン５２は、上記実施の形態および上記変形例と同様である。
【０１９７】
図１９に示す例では、例えば、第１の情報２８には、種類情報“２００Ｄｏｔ”と、有色スクリーン５０としての色スクリーン５０Ｃ１、５０Ｍ１、５０Ｙ１、５０Ｋ１と、特色スクリーン５２としての特色スクリーン５２Ａと、が対応づけて登録されている。
【０１９８】
同様に、第１の情報２８には、種類情報“１７５Ｄｏｔ”と、有色スクリーン５０としての色スクリーン５０Ｃ２、５０Ｍ２、５０Ｙ２、５０Ｋ２と、特色スクリーン５２としての特色スクリーン５２Ｂと、が対応づけて登録されている。同様に、第１の情報２８には、種類情報“１５０Ｄｏｔ”と、有色スクリーン５０としての色スクリーン５０Ｃ３、５０Ｍ３、５０Ｙ３、５０Ｋ３と、特色スクリーン５２としての特色スクリーン５２Ｃと、が対応づけて登録されている。同様に、第１の情報２８には、種類情報“３６０Ｄｏｔ”と、有色スクリーン５０としての色スクリーン５０Ｃ４、５０Ｍ４、５０Ｙ４、５０Ｋ４と、特色スクリーン５２としての特色スクリーン５２Ｄと、が対応づけて登録されている。
【０１９９】
すなわち、本変形例では、記憶部２４２は、種類情報ごとに、有色スクリーン５０と、該有色スクリーン５０に規定される周期的な配列線によって表される第１の位相とは異なる第２の位相の特色スクリーン５２と、を予め対応づけて記憶する。
【０２００】
図１８に戻り、説明を続ける。画像処理部２０Ｂは、取得部１１と、色変換処理部１２と、γ変換部１３と、総量規制部１４と、中間調生成部１５と、受付部１６と、入力情報判断部１７と、スクリーン設定部１８０と、を備える。画像処理部２０Ｂは、スクリーン設定部１８に代えてスクリーン設定部１８０を備え、スクリーン生成部１９を備えない以外は、第１の実施の形態の画像処理部２０と同様の構成である。
【０２０１】
すなわち、本変形例では、記憶部２４２に、有色スクリーン５０および特色スクリーン５２を登録した第１の情報２８が記憶されているため、画像処理部２０Ｂは、スクリーン生成部１９を備えない構成である。
【０２０２】
スクリーン設定部１８０は、受付部１６で受付けた種類情報に対応する、有色スクリーン５０および特色スクリーン５２を、記憶部２４２の第１の情報２８から読取る。そして、スクリーン設定部１８は、読取ったスクリーン５４（有色スクリーン５０（色スクリーン５０Ｃ、５０Ｍ、５０Ｙ、５０Ｋ）と、特色スクリーン５２）を、中間調生成部１５へ出力する。
【０２０３】
次に、本変形例の画像処理装置１０Ｂで実行する画像処理の手順を説明する。
【０２０４】
図２０は、本変形例の画像処理装置１０Ｂで実行する画像処理の手順の一例を示すフローチャートである。なお、取得部１１が、画像データ３４を取得し、γ変換部１３および総量規制部１４によって処理された画像データ３４（有色画像データ３０、特色画像データ３２）が、中間調生成部１５へ出力されているものとして説明する。
【０２０５】
まず、受付部１６が、種類情報の指定を受付ける（ステップＳ３００）。ステップＳ３００の処理は、第１の実施形態における種類情報の指定の受付処理（図１１のステップＳ１００参照）と同様である。
【０２０６】
次に、スクリーン設定部１８０が、ステップＳ３００で受付けた種類情報に対応する有色スクリーン５０を、記憶部２４２の第１の情報２８から読取る（ステップＳ３０２）。
【０２０７】
次に、スクリーン設定部１８０が、ステップＳ３００で受付けた種類情報に対応する特色スクリーン５２を、記憶部２４２の第１の情報２８から読取る（ステップＳ３０４）。
【０２０８】
そして、スクリーン設定部１８０は、ステップＳ３０２およびステップＳ３０４で読取った、有色スクリーン５０および特色スクリーン５２を、中間調生成部１５へ出力する。これにより、スクリーン設定部１８０が、中間調処理に用いるスクリーン５４（有色スクリーン５０、特色スクリーン５２）を、中間調生成部１５に設定する（ステップＳ３０６）。
【０２０９】
次に、中間調生成部１５が、有色画像データ３０および特色画像データ３２の各々に対して、ステップＳ３０６で設定されたスクリーン５４を用いて、スクリーン処理（中間調処理）を実行する（ステップＳ３０８）。ステップＳ３０８の処理は、第１の実施の形態におけるステップＳ１１２（図１１参照）と同様である。そして、本ルーチンを終了する。
【０２１０】
以上説明したように、本変形例では、画像処理装置１０Ｂは、予め記憶された有色スクリーン５０および特色スクリーン５２を読取り、中間調処理を行う。このように、有色スクリーン５０および特色スクリーン５２を予め記憶した場合も、上記実施の形態および変形例と同様に、有色色材によって実現される色味を損なわずに、特色色材による特色効果を実現することができる。
【０２１１】
なお、上記実施の形態および変形例の画像処理装置１０、１０Ａ、１０Ｂで実行される処理は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記録されてコンピュータプログラムプロダクトとして提供される。
【０２１２】
また、上記実施の形態および変形例の画像処理装置１０、１０Ａ、１０Ｂで実行されるプログラムを、インターネット等のネットワークに接続されたコンピュータ上に格納し、ネットワーク経由でダウンロードさせることにより提供するように構成してもよい。また、上記実施の形態および変形例の画像処理装置１０、１０Ａ、１０Ｂで実行されるプログラムをインターネット等のネットワーク経由で提供または配布するように構成してもよい。
【０２１３】
また、上記実施の形態および変形例の画像処理装置１０、１０Ａ、１０Ｂで実行されるプログラムを、ＲＯＭ等に予め組み込んで提供するように構成してもよい。
【０２１４】
なお、本発明は上記実施の形態および変形例そのままに限定されるものではなく、実施段階ではその要旨を逸脱しない範囲で構成要素を変形して具体化できる。また、上記実施の形態および変形例に開示されている複数の構成要素の適宜な組み合わせにより、種々の発明を形成できる。例えば、実施の形態に示される全構成要素から幾つかの構成要素を削除してもよい。さらに、異なる実施の形態にわたる構成要素を適宜組み合わせてもよい。また、種々の変形が可能である。
【符号の説明】
【０２１５】
１０、１０Ａ、１０Ｂ  画像処理装置
１５  中間調生成部
１５Ａ  有色中間調生成部
１５Ｂ  特色中間調生成部
１６、１６２  受付部
１９、１９２  スクリーン生成部
１９２Ａ  有色スクリーン生成部
１９２Ｂ  特色スクリーン生成部
【先行技術文献】
【特許文献】
【０２１６】
【特許文献１】特開平０８−２３７４９６号公報
【図１】
2017175601.tif 000003
【図２】
2017175601.tif 000004
【図３】
2017175601.tif 000005
【図４】
2017175601.tif 000006
【図５】
2017175601.tif 000007
【図６】
2017175601.tif 000008
【図７】
2017175601.tif 000009
【図８】
2017175601.tif 000010
【図９】
2017175601.tif 000011
【図１０】
2017175601.tif 000012
【図１１】
2017175601.tif 000013
【図１２】
2017175601.tif 000014
【図１３】
2017175601.tif 000015
【図１４】
2017175601.tif 000016
【図１５】
2017175601.tif 000017
【図１６】
2017175601.tif 000018
【図１７】
2017175601.tif 000019
【図１８】
2017175601.tif 000020
【図１９】
2017175601.tif 000021
【図２０】
2017175601.tif 000022